(57)【要約】  本願は、座席（１０）と、患者の前方で光点が投影されるスクリーン（１１）とを備えた設備において眼科検査を受ける患者の頭部に合うヘルメット（１）からなる眼球運動センサ装置に関する。前述のヘルメット（１）は、光点をスクリーン（１１）の方向へ発する前方プロジェクター（２）と、各眼球の画像を録画する手段とを備え、この録画手段は、考えうる全ての位置にある眼球を見ることのできる角度からその動きを記録する。この録画手段は、好ましくは、ヘルメット（１）のプロジェクター（２）の下に配置されるビデオカメラ（６）を備え、このビデオカメラは、（ｉ）運動の鏡面反射を録画するためにヘルメット（１）の下部の両側で各眼球の下に設けられた一対のミラー（７）へ下方に焦点を合わせる。または、（ｉｉ）各眼球の下にそれぞれ２つのビデオカメラが備えられる。
2008541909.tif 000002
【特許請求の範囲】
【請求項１】
眼科検査ユニットに適用されるようデザインされた、眼球運動異常の眼科学における発見、モニタリング、評価用の眼球運動センサであって、前記ユニットは、検査中に患者が見せられる光点の投影スクリーン（１１）を備え、
前記眼球運動センサは、あらゆる位置にある眼球を見ることが可能な眼球最大下転時の注視角度において、下から見られる眼球運動を録画する、各眼球の画像録画装置を有するヘルメット（１）を備えることを特徴とする眼球運動センサ。
【請求項２】
前記ヘルメット（１）は、前記ヘルメット（１）の上前面の中央に配置され、前記投影スクリーン（１１）に向かって光点を発するプロジェクター（２）をさらに有することを特徴とする請求項１に記載の眼球運動センサ。
【請求項３】
前記ヘルメット（１）の前記プロジェクター（２）は、
レーザポインタ（３）と、
前記ヘルメット（１）に内蔵され前記ポインタ（３）に作用して上方、下方、左右６０度までの角度で前記ポインタ（３）を回転させる電機モーター（４）と、
が付いた回転する球面を備えたレーザープロジェクター（２）であることを特徴とする請求項２に記載の眼球運動センサ。
【請求項４】
前記画像録画装置は、前記ヘルメット（１）の両側それぞれにおいて被検者の頬の高さで配置される２つのビデオカメラ（５）からなり、眼球最大下転時の角度から前記ビデオカメラの上にある眼球に焦点を合わせることを特徴とする請求項１または請求項２に記載の眼球運動センサ。
【請求項５】
前記画像録画装置は、前記ヘルメット（１）の上中央部のプロジェクター（２）の下に被検者の前頭部の高さで配置されたビデオカメラ（６）からなり、各眼球の下で前記ヘルメット（１）の下部の異なる側に組み込まれた一対のミラー（７）に向かって焦点を合わせ、前記ミラーから眼球運動が最大下転時の角度から反射されることを特徴とする請求項１または請求項２に記載の眼球運動センサ。
【請求項６】
前記ヘルメット（１）は、視力補正レンズ（９）用の支持体を前面に組み込むことを特徴とする請求項１または請求項２に記載の眼球運動センサ。
【請求項７】
前記被検者が座って眼科検査を受けることができるように前記ユニットが座席（１０）を有することを条件として、前記ヘルメット（１）の位置に影響を及ぼすことなく前記座席（１０）の背に頭部を都合良くもたせかけることができるように、前記ヘルメット（１）は後ろ部分が部分的に頭部を覆わないようになっていることを特徴とする請求項１または請求項２に記載の眼球運動センサ。
【請求項８】
前記ヘルメット（１）は、適切な大きさを備えた、解剖学的に頭部の寸法に調整されたより小さいサイズの別のヘルメット（８）を内部に含むことを特徴とする請求項１または請求項２に記載の眼球運動センサ。
【発明の詳細な説明】
【技術分野】
【０００１】
本発明は、特に、義眼などの検査に加え、顔面麻痺、斜視（眼球偏位）、眼瞼けいれん（閉眼時のけいれん）、眼震症（眼球振動）、眼瞼下垂症（上瞼下垂）などの特定の眼球運動異常に関する病状の発見、観察、追加治療の最適化のための眼科学に適用される。
【０００２】
特に、望ましい眼球運動センサは、大人及び子供の患者の両者に適用可能なヘルメットを備える。このヘルメットは、眼球を録画する手段、望ましくは、両眼用に一つまたは各眼球用に一つずつのビデオカメラを内蔵する。このビデオカメラは、眼球の全ての運動を捉えることが可能な角度、つまり眼球最大下転（下方）時に注視した角度から見られる画像で眼球を録画する。さらに、このヘルメットは、スクリーンに向かって光点を発するプロジェクター（light projector）を有し、患者は、前述の異常について眼球の精密検査を行って診断を適正なものにするためにこのスクリーンを見せられる。
【０００３】
本発明の目的は、検査の結果が自発的または非自発的な頭部の動きに影響されないような、快適で短時間の検査を可能にして、患者が眼科検査の際に通常実施される視覚テストを見つめている間に頭部を自由に動かすことができるようにすることである。
【０００４】
同様に、本発明の一目的は、しかるべきコンピュータ機器による後の処理及び分析のために、眼球運動をヘルメットに内蔵された録画手段によって画像に録画して、考えうる全ての位置における眼球運動を収集することである。
【背景技術】
【０００５】
通常、人が物体に注意を固定してその物体を目で追っているとき、両眼は、同じ点に焦点を合わせながら揃って動く。しかし、被検者に特定の病状があった場合、こうした動きは起こらない。被検者の中には、一眼が一点を見つめて固定されたままであるのに対し（固定眼）、他眼はそうならずに、代わりに、偏位位置に留まる（偏位眼または斜視眼）というように、一眼が他眼に対して偏っている人々もいて、その大半は子供である。この眼の病状はよく斜視の名前で知られている。
【０００６】
斜視を分類する方法は数多くあるが、最も重要な方法の一つが、眼球偏位の多様性によるものである。
−共動性斜視：眼球の偏位は変化しない、または、異なる注視位置においてほんのわずかしか変化しない。これは子供に最も頻繁に見られる斜視である。
−非共動性斜視：眼球の偏位は、注視位置によって変化する、または、注視位置のうちいくつかにおいてのみ現れる。このグループは、筋肉へ向かう神経の麻痺または筋肉の病変（変質または瘢痕化（citatrization））によって生じる斜視を含む。
【０００７】
さらに、眼球偏位の方向によって、斜視は、以下のように分類される。
−内斜視（内向き）
−外斜視（外向き）
−上斜視（上向き）
−下斜視（下向き）
−回転斜視（内側または外側への回転）
【０００８】
疫学的観点から見ると、斜視は７０年代から世紀末までに先進国において発生頻度が減少した疾病（pathology）であるが、人口基盤の減少によって、この傾向は、近年、現在の社会に存在する以下の異なる要因により覆されている。
１．出生率における新規増加
２．移民、発展途上国からの養子縁組された子供、受精補助技術（体外受精など）の増加に伴う未熟児などの新しく人口が増加しつつあるグループにおける斜視の高罹患率
【０００９】
したがって、先進国における斜視の発生率は約４％と推定され、このことから、１０〜２０年の間に前述の眼科診断を受け、こうした疾病の治療を受ける子供は増加していくことが予想される。
【００１０】
具体的には、バルセロナ州では、子供に対する毎年約５０００回の眼球運動検査及び大人に対する１０００回超の検査が実施されるが、これによって、斜視の外科手術の回数は増加しており、より具体的には、セント・ジョーン・オブ・デュー（Saint Joan of Deu）病院では、年間約５００人の子供が斜視で手術を受ける。
【００１１】
統計全体を考慮すると、疾病の最初の段階と、患者に適した診断システム、すなわち、考えうる最大数の疾病を検出機能においてカバーすることができ、眼病の治療及びモニタリングにおける共同へと展開可能である診断システムを使用した予防とに重点をおきながら、集団の変化する健康要求に対して眼科医療が持続的に適応していくことへの必要性が高まっている。
【００１２】
考えうる眼球運動の変化を判断及び計測できるシステムはこれまでに多数知られているが、それらのシステムは全て、一つないしは複数の以下の問題を抱えている。
−患者からの積極的協力が必要であり、６歳未満の子供や、特に、精神障害をもつ患者にはやり遂げることが難しい。
−眼科パラメータの計測における正確性が欠如しており、既存の診断システムの多くでは得られた結果について過剰に主観的解釈がなされている。
−公知の斜視検出手段では、人の眼球運動の範囲における全ての点での眼球の偏位を計測することはできない。
【００１３】
この点において、国際特許出願番号ＰＣＴ  ＷＯ９３／１９６６１を引用することができ、ここでは、眼球運動を検査する装置が提供され、この装置は、コンピュータによって制御されるプロジェクターと、光点が投影されるスクリーンとを備え、眼検査の被検者はこの光点を注視する。したがって、患者は、着席してスクリーンを見つめることになるが、患者が子供の場合、通常、ほとんど協力が得られないため、ＷＯ９３／１９６６１に記載された方法においては、有効な眼球運動検査を得ることができるように子供の頭部を固定するかまたは動きを制御するような手段がシステムに含まれる必要がある。さらに、この方法とそれを実行する装置は、各眼球の視軸において正面向きに配置された一対のビデオカメラの使用に基づいているが、これらカメラの配置では視界全体を録画することができず、特に、上瞼が眼球を覆うので下向きの注視の録画が妨げられることになる。別の欠点としては、ビデオカメラは眼球を録画するためだけに固定されており、頭部の動きを捉える手段は提供されないことがある。つまり、患者が、子供や精神障害者の場合によくあるように、頭部を動かした場合、この方法及び装置を使用して検出された眼球運動は正しくないことになる。
【００１４】
両眼の配置を評価する装置の別の例としては、米国特許第５０９４５２１号に開示されている装置がある。この装置は、患者が自発的にまたは非自発的に頭部を動かした場合に生じる問題に対して、支持部に固定されたテープで頭部を動かないようにすることによって、この問題を回避するという抜本的解決方法を備える。この装置において、人は、あごをあごあてに載せた状態で顔を配置しなければならず、両眼は完全に整列した状態に留まり、患者はあごあてを介して光点を有するスクリーンを見せられる。若い人や精神機能障害を抱えた人々が頭部を堅く固定されることに対して我慢ができない可能性が高いのは明らかである。頭部の固定は、単にベルクロテープを使用しただけであっても常に不快なものである。また、固定スクリーンは、被検者の前面に配置され、複数の光点が当てられて、中央に両眼を同時に録画するビデオカメラを備える。したがって、ＷＯ９３／１９６６１の前述の装置のように、このカメラでも、患者が下を見下ろしていた場合、両眼の動きを捉えることはできない。固定テープを使用しても、人が眼球を回転させて横目になる際の小さな頭部の動きに対して非常に敏感であるため眼球偏位の評価を誤る。
【００１５】
眼球運動につながる自発的または非自発的な予想される頭部の動きを解消する代替策としては、欧州特許第０９４０１１７号に開示されている装置がある。この装置は、赤外線によって頭部の３軸の座標（ＸとＺ）を計算して頭部の位置を検出する制御手段を有するため、患者は自由に頭部を動かすことができる。赤外線は、眼球運動を計測するのにも使用されており、眼球ごとに赤外線検出器を有する。しかし、これらの検出器は頭部の動きに合わせて動くことはなく、撮影された眼球運動の計測結果は、患者が頭部を動かしているかどうかについて撮られた計測結果とは別である。無秩序な頭部の動きを引き起こすようなあらゆる精神的または身体的疾患をもつ子供、あるいは大人であっても、頭部位置を非常に大きく動かすことがあり、赤外線検出手段によって印付けされた録画範囲の外側へ頭部が簡単に出てしまうので、注視を向けている点に関して信頼性のある眼球運動計算を行うことが事実上不可能となる。これら及びその他の目的のためには、患者が、マイク及びヘッドフォン付きのヘルメットを使用して検査者と絶え間なくコミュニケーションしなければならないことなどがあるため、少なくとも概念的見地では、このシステムの機能が実際に有効であるためには、非常に協力的な大人に限定して適用される必要がある。
【発明の開示】
【発明が解決しようとする課題】
【００１６】
本発明は、とりわけ、前述の問題について、引例と比較して興味深い効果を提供しながら、言及された異なる側面の一つ一つに対して十分に満足いくように解決する。
【００１７】
特に、記載された本発明は眼球運動を撮影するために考案され、精神的及び身体的能力が十分に備わっている大人から６歳未満の眼科検査に十分に協力しない子供まで全てのタイプの患者の斜視に由来する異常または他の眼球や瞼の疾病の発見に適用されることを考慮している。
【課題を解決するための手段】
【００１８】
望ましい眼球運動センサは、ヘルメット、すなわち、頭部用に人間工学的にデザインされた装置を備え、このヘルメットは眼球の録画手段を内蔵する。この録画手段は、基本的に、両眼球それぞれの画像を録画する少なくとも一つのカメラ、好ましくは、ビデオカメラからなる。
【００１９】
このように、眼科検査を受ける被検者が着用しなければならないヘルメットには眼球運動を撮影する手段、すなわち、眼球を録画するカメラが固定的に付けられているため、被検者が頭部を動かしても、普通に発生するこのような非自発的な頭部の動きとは無関係に、また、静止画像を中心から逸脱させることなく、眼球の動きは録画され続ける。
【００２０】
患者の年齢に応じ、形状の違いによって、眼球運動センサは人間工学に基づいてデザインされる。
−大人用ヘルメットは、各眼球の動きを個別にかつ同時に録画できる頬の高さに配置された２つのカメラを有する。
−子供の患者用のヘルメットには、一つのカメラが正面に備えられ、カメラレンズは下方を向いている。このカメラは、同じヘルメットに備えられた、両眼に近接した異なるミラーを用いて反射される眼球運動を撮影する。こうして、眼球の動きは各眼球用の小さなミラーで反射され、一つの中央のカメラによって録画される。
【００２１】
本発明のこの第２の代替的な実施形態は、大人に対する眼科検査にも適用可能である。
【００２２】
本装置を頭部の大きさに合わせるために、より小さいサイズの別のヘルメットを用意する。これは、カメラを内蔵したヘルメット本体に、入れ替わりで取り付けられるが、小さい方のヘルメットは通常大きい方の内側に密着し、大きい方のヘルメットは、大人の頭蓋の大きめの直径に相当する寸法で作られている。
【００２３】
ヘルメットの構造は、頭部に直接密着する幅広いタイプでもよいし、ベルクロまたは他の既知の止め具付きテープのような伸縮性のあるテープなど従来の固定手段を有してもよいし、または、現在、眼科医の頭部で間接検眼鏡を支持するようなタイプの調節可能な弓形状でもよい。患者が着席してより楽に検査を受けようとする場合に、座席の背に頭部をもたせかけても頭部に対するヘルメットの位置に影響しないように、ヘルメットの後方３分の１は開けたままになっていることが好ましい。
【００２４】
眼球運動を録画するために、全ての回転位置にある眼球を見ることができる観察角度が一つだけある。この角度は、最大下転（すなわち下方）注視の方向に相当する。これは、本装置の可能な実施形態において、上記された形に配置されて使用される１つまたは２つのカメラには、前額面において動く眼球を、正面向きの患者の顔において２７０度（６ｈ）で録画し、同様に、矢状平面において動く眼球を、患者の右横顔から見て約２４０度で録画する能力があるということを意味する。
【００２５】
ヘルメットに内蔵されているカメラは、録画画像が送信されるコンピュータシステムにおける後の画像のデジタル処理を可能にするため、眼科検査に必要とされるだけの正確な光条件があれば、高解像度であり、また、高色識別で撮影することも可能である。
【００２６】
任意であるが、患者が視覚障害のために補正レンズを必要とする場合には、眼球運動センサのヘルメットは、補正レンズ用の支持体を有し、この光学補正レンズ付きの支持体はヘルメットのカメラで行われる録画には影響しない。
【００２７】
本発明のヘルメットは、眼科検査用の装置の内蔵部分として使用されるようデザインされ、検査中に患者が見せられる光点のプロジェクターが、患者が頭部を動かした場合でも、頭部と揃って動くことができるように、上部にプロジェクター、好ましくは、レーザーエミッタを内蔵する。
【００２８】
このように、同装置、すなわち、患者の頭部に取り付けられるヘルメット、に内蔵された眼球録画カメラと、注視が固定する対象光点のプロジェクターとは、対象点に向かって眼球が回転する際の頭部の非自発的な動きの問題を回避することができる。ここでは、プロジェクター及び眼球運動を撮影するカメラの両方が一緒に頭部に配置され、録画画像が送信される先のコンピュータによって後段階で処理される画像を撮影することで生じる不一致を最小化する。
【００２９】
統合された眼科ユニットは、通常、患者が座って検査を受けられるように少なくとも一台の座席と、対象光点が投影されるスクリーンとを備えており、開示される本装置は、参考文献に対して重要な改善点を有する。
【００３０】
参考文献に引用された最初の２つの文献、ＷＯ９３／１９６６１及び米国特許第５０９４５２１号対する本発明の装置の主な効果は、検査対象の人が座っている状況によって設定される適度な制限の中で患者が自由に頭部を動かすことができることである。これに対して、上記文献では、検査の結果である計測値が信頼性のあるものであるためには頭部が静止していることが不可欠である。特に、米国特許第５０９４５２１号の装置では、テープの使用を頭部を固定位置に置くよう強制することに特定しており、これは、最先端技術によるこれらの装置を、特に、子供の患者に対する使用において、技術的に不相応なものにしている。
【００３１】
一方、参考文献のＷＯ９３／１９６６１及び米国特許第５０９４５２１号は、患者の眼球を録画するのにビデオカメラを使用することに言及しているが、ビデオカメラは被検者の前頭部に固定的に配置されているため、患者が下を見下ろしている場合には眼球を撮影することができない。これに対して、本発明の装置で提案される、ヘルメットに内蔵された眼球運動撮影手段は、前述された位置で、両眼下のカメラ、または、ヘルメットに備えられたミラーに向けて焦点を合わせてミラーの反射を録画する中央カメラを使用して、下方注視を常時撮影することができ、これは要するに、カメラが、あらゆる位置にある両眼を見ることができるということである。
【００３２】
本発明の、参考文献で最後に記載される文献、つまり欧州特許第０９４０１１７号に対する改善点は、本発明と他の文献とを比較するときにもまた見られるが、眼球運動センサまたはヘルメットに内蔵されたカメラとミラーのセットが、頭部に合わせて動くということによるものである。欧州特許第０９４０１１７号においても、ヘルメットと、両眼及び固定位置に強制されない頭部の両方の赤外線運動センサとについての記載があるが、眼球運動のセンサとヘルメットとは切り離されている。つまり、頭部が空間で無秩序に動くと、ヘルメットの外側にある別の赤外線センサを使用した眼球運動の計算は信頼性を欠くことになる。
【００３３】
さらに、本発明の実施形態では、プロジェクターを、眼球運動撮影または録画手段付きのヘルメットに内蔵するが、眼科検査において実施される光点を使用した検査は頭部の動きにも関連付けされている。反対に、記載の参考文献では、光点を使用したこれらの検査は、患者が頭部を動かす可能性とは関連なく投影されるため、注視位置や人の対象点の基準計測値が無効となる。
【００３４】
斜視の検出、計測、モニタリングに加えて、本発明は、眼科学において別の用法もあり、例えば、眼球運動を撮影し、後にコンピュータで分析することにより評価することができるような、眼球の静止画像において現れる可能性のある他の眼球の病気などにおいて使用される。以下の例がある。
−義眼の回転角度の決定。
−下垂症の上瞼（上瞼下垂症）の動態分析。
−顔面麻痺における自発的及び非自発的な閉眼異常の評価（目を閉じることができない）。
−眼瞼けいれんの撮影（閉眼時のけいれん）。
−１秒間に２５枚の静止画像を録画することができるヘルメットのカメラを使用した非自発的な高速眼球振動である眼震症の研究。
【発明を実施するための最良の形態】
【００３５】
明細書の記載を補完し本発明の特徴のより良い理解を助ける目的で、本発明の実際の実施の形態の好適例に従いながら、明細書に含まれる部分として図面を添付する。この図面では、以下の内容が実例として非制限的な特徴を有して表される。
【００３６】
図１に表されるように、眼球運動センサはヘルメット（１）を備え、このヘルメットは、ユニットでの眼科検査を受ける被検者の頭部に密着する。ユニットでは、被検者は座席（１０）に楽な姿勢で座り、その前には検査用に適度な距離で位置付けされた光点投影スクリーン（１１）がある。座席（１０）は、正確な検査のために必要な位置に被検者を配置するよう正しい位置に置かれる。
【００３７】
検査者が被検者に対して正式に見せる光点を投影するためには、ヘルメット（１）は、プロジェクター（２）をその上部の前方中央部に配置して内蔵する。このプロジェクターは投影スクリーン（１１）に向かって光点を発する。
【００３８】
図２に図示されるように、ヘルメット（１）にプロジェクター（２）を内蔵してなる構成によって好適な実施形態が説明される。プロジェクター（２）はレーザー光線を発し、そのため、投影スクリーン（１１）には、レーザー光線が円像または光点として投影される。レーザー光プロジェクター（２）は、上方、下方、左右などの具体的な方向に向けて球面の表面を越えて光線を放つレーザポインタ（３）が付いた回転球面を備え、球面が回転する際にポインタ（３）を使用して６０度までの角度をカバーする。これは、ヘルメット（１）に内蔵された電気モータ（４）の動作によって実行される。
【００３９】
プロジェクター（２）の下で、図３に表されるように、ヘルメット（１）は、その上中央部の被検者の前頭部の高さで、レンズの焦点を下方に合わせたビデオカメラ（６）を内蔵する。このヘルメットは（１）は、その下部において、一対のミラー（７）をヘルメットの各側に一つずつ眼球の下に備え、ここで異なる眼球運動が反射され、ビデオカメラ（６）に録画される。この構成によって、患者が、プロジェクター（２）によって作られた光点を追って眼球を動かすのに合わせて、図４に表されるように、約４５度から５０度の角度で各ミラー（７）において反射される下方から見られる眼球を撮影するため考えうる全ての眼球の位置の録画が可能となる。
【００４０】
別の代替的な実施形態が図５に表される。ここでは、ヘルメット（１）は、１つではなく、２つのビデオカメラ（５）を有し、それぞれ各眼球の下に、ヘルメット（１）の前述の実施形態のように前頭部に配置されるのではなく、被検者の頬の高さに配置される。この構成では、前述の発明の実施形態のような鏡面反射による間接的録画は不要であり、代わりにビデオカメラ（５）が各眼球の下に配置されるため全ての眼球運動を直接撮影する。
【００４１】
いずれの場合も、ビデオカメラ（５、６）は、６０〜９０グラム程度の軽量で、高解像度を有する。次々と激しく変化する眼球位置の全てを最大約１００度の眼球の運動角度を考慮に入れながら撮影するには、少なくとも２００〜４００画素の解像度が必要とされるためである。
【００４２】
２つのビデオカメラ（５）または一対のミラー（７）の反射を録画する１つのビデオカメラ（６）を使用した上記の実施形態の両方において、下向き方向への注視に相当する最大下転（induction）角度から見える両眼の考えうる全ての位置における画像が録画され、前述されたように、瞼で妨げられることなくあらゆる眼球運動が見られるような角度が構成される。この最大下転（induction）角度は、図６に従って前方を向いている患者の顔では、６時の位置で前額面の横断面をカバーし、また、図７に示されるように左横顔から見た眼球では、約２３５度±５度で矢状平面をカバーする。
【００４３】
任意であるが、ヘルメット（１）は、考えうる全ての構成において前面部に視力補正レンズ（９）用の支持体を内蔵している。この支持体は、カメラ（５，６）の焦点経路の外側でヘルメット（９）に一体化されているため、眼球を録画しているときも、補正レンズ（９）は妨げにならない。
【００４４】
ヘルメット（１）を患者の頭部の大きさへ解剖学的に調整するために、異なる年齢や頭囲を考慮に入れながら、異なる大きさの２、３のヘルメットを作ることが予定される。さらに、前述のヘルメットと頭部との間にある小さいサイズの別のヘルメットは、大きさを完全に調節する機能をもつ（８，１０）。主ヘルメットと頭部との間に入るこの第２のヘルメットにはいくつかの大きさが必要である。
【図面の簡単な説明】
【００４５】
【図１】本発明の眼球運動センサが適用された眼科検査用のユニットの図であって、好適な実施形態に従って、本装置が備えるヘルメットが患者の頭部に配置されたところを図示する概略図である。
【図２】好適な実施形態におけるヘルメットに内蔵されたレーザープロジェクターの詳細な概略図である。
【図３】本発明の目的に従って、プロジェクターの下にビデオカメラを内蔵し、このビデオカメラによって録画される眼球運動を反射させる二つのミラーを眼球の下に組み込んだヘルメットの前面図である。
【図４】前図に図示されたヘルメットの実施形態による、ヘルメットカメラと眼球下ミラーのうちの一つの詳細な側面図である。
【図５】他の可能な実施形態によるヘルメットであって、本発明の目的に従って、各眼に一つずつ眼球の動きをそれぞれ録画する２つのビデオカメラを有するヘルメットの上面図及び別の側面図である。
【図６】患者の顔の前面図であって、眼球運動撮影手段が配置された前額面の状態を示す正面から見た前面図である。
【図７】患者の顔の側面図であって、眼球運動撮影手段が配置された矢状平面の状態を示す右側から見た側面図である。
【図８】本発明の、本来子供に適用される別の実施形態を表す図であって、頭部の大きさに調整され、図１、３、５に表される画像録画装置を有する前述のヘルメットに取り付け可能な第２の小さいヘルメットを組み込んでなる、本発明の代替的な実施形態を表す図である。
【図１】
2008541909.tif 000003
【図２】
2008541909.tif 000004
【図３】
2008541909.tif 000005
【図４】
2008541909.tif 000006
【図５】
2008541909.tif 000007
【図６】
2008541909.tif 000008
【図７】
2008541909.tif 000009
【図８】
2008541909.tif 000010
【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
眼科検査ユニットに適用されるようデザインされた、眼球運動異常の眼科学における発見、モニタリング、評価用の眼球運動センサであって、前記ユニットは、前記眼科検査用に適切な距離で配置され検査中に患者が見せられる光点の投影スクリーン（１１）を備え、
前記眼球運動センサは、ヘルメットの上前面の中央に配置され前記投影スクリーン（１１）に向かって光点を発するプロジェクター（２）付きの前記ヘルメット（１）を備え、
前記ヘルメット（１）は、あらゆる位置にある眼球を見ることが可能な角度から見られる眼球運動を録画する各眼球の画像録画装置を備え、
前記画像録画装置は、前記ヘルメット（１）の上中央部のプロジェクター（２）の下に被験者の前頭部の高さで配置されたビデオカメラ（６）からなり、各眼球の下で前記ヘルメット（１）の下部の異なる側に組み込まれた一対のミラー（７）に向かって焦点を合わせ、前記ミラーから眼球の動きが最大下転角度（α）から反射されることを特徴とする眼球運動センサ。
【請求項２】
眼科検査ユニットに適用されるようデザインされた、眼球運動異常の眼科学における発見、モニタリング、評価用の眼球運動センサであって、前記ユニットは、前記眼科検査用に適切な距離で配置され検査中に患者が見せられる光点の投影スクリーン（１１）を備え、
前記眼球運動センサは、ヘルメットの上前面の中央に配置され、前記投影スクリーン（１１）に向かって光点を発するプロジェクター（２）付きのヘルメット（１）を備え、
前記ヘルメット（１）は、あらゆる位置にある眼球を見ることが可能な角度から見られる眼球運動を録画する各眼球の画像録画装置を備え、
前記画像録画装置は、前記ヘルメット（１）の両側それぞれにおいて被験者の頬の高さで配置される２つのビデオカメラ（５）からなり、前記２つのビデオカメラ（５）のそれぞれが、最大下転時の角度（α）に配置され下から眼球に直接焦点を合わせることを特徴とする眼球運動センサ。
【請求項３】
前記ヘルメット（１）の前記プロジェクター（２）は、レーザポインタ（３）と、前記ヘルメット（１）に内蔵され前記ポインタ（３）に作用して上方、下方、左右６０度までの角度で前記ポインタ（３）を回転させる電機モーター（４）とが付いた回転する球面を備えたレーザープロジェクターであることを特徴とする請求項１または請求項２に記載の眼球運動センサ。
【請求項４】
前記ヘルメット（１）は、視力補正レンズ（９）用の支持体を前面に組み込むことを特徴とする請求項１または請求項２に記載の眼球運動センサ。
【請求項５】
前記被験者が座って眼科検査を受けることができるように前記ユニットが座席（１０）を有することを条件として、前記ヘルメット（１）の位置に影響を及ぼすことなく前記座席（１０）の背に頭部を都合良くもたせかけることができるように、前記ヘルメット（１）は後ろ部分が部分的に頭部を覆わないようになっていることを特徴とする請求項１または請求項２に記載の眼球運動センサ。
【請求項６】
前記ヘルメット（１）は、適切な大きさを備えた、解剖学的に頭部の寸法に調整されたより小さいサイズの別のヘルメット（８）を内部に含むことを特徴とする請求項１または請求項２に記載の眼球運動センサ。
【手続補正２】
【補正対象書類名】図面
【補正対象項目名】図６
【補正方法】変更
【補正の内容】
【図６】
2008541909.tif 000011
【手続補正３】
【補正対象書類名】図面
【補正対象項目名】図７
【補正方法】変更
【補正の内容】
【図７】
2008541909.tif 000012
【国際調査報告】
2008541909.tif 000013
2008541909.tif 000014
2008541909.tif 000015
2008541909.tif 000016
2008541909.tif 000017
2008541909.tif 000018